(57)【要約】【課題】本発明の課題は、光ファイバを巻き付けて余長処理を行う光ファイバ配線ガイドを可動式にすることにより、小型化と余長収納の作業性向上を達成でき、さらに簡単かつ確実に規定の曲率半径を確保した余長処理ができる光ファイバトレイを提供することにある。【解決手段】本発明の光ファイバトレイは、有底筒状の光ファイバトレイ本体１１と、前記光ファイバトレイ本体１１内に光ファイバ２０が巻き付けられて収容されるように設けられ、複数の円弧状の突出部材が円形状に配設された光ファイバ配線ガイド１２，１３と、前記光ファイバ配線ガイド１３を直径方向に移動するように設けられた可動装置とを具備することを特徴とするものである。【選択図】      図１
2006023451.tif 000002
【特許請求の範囲】
【請求項１】
光ファイバを収容して余長処理を行う光ファイバトレイにおいて、
光ファイバが巻き付けられる光ファイバ巻き付け部の形状を変化させることを特徴とする光ファイバトレイ。
【請求項２】
有底筒状の光ファイバトレイ本体と、
前記光ファイバトレイ本体内に光ファイバが巻き付けられて収容されるように設けられ、複数の円弧状の突出部材が円形状に配設された光ファイバ配線ガイドと、
前記光ファイバ配線ガイドの一部を直径方向に移動するように設けられた可動装置と
を具備することを特徴とする光ファイバトレイ。
【請求項３】
光ファイバ配線ガイドは、光ファイバ配線ガイドの可動範囲において収容する光ファイバの曲率半径が規定値より小さくならないように設けられることを特徴とする請求項２に記載の光ファイバトレイ。
【請求項４】
光ファイバ配線ガイドは、光ファイバ配線ガイドに光ファイバが巻き付けられた状態で光ファイバ配線ガイドを移動させることにより、光ファイバ配線ガイドに巻き付けられた光ファイバの外周長を変化させることができるように設けられることを特徴とする請求項２又は３に記載の光ファイバトレイ。
【請求項５】
光ファイバ配線ガイドは、光ファイバ配線ガイドに巻き付けられて収容された光ファイバが脱落するのを防止する脱落防止つめが設けられることを特徴とする請求項２、３又は４に記載の光ファイバトレイ。
【請求項６】
ＯＮＵ（光回線終端装置）や光アウトレットの光ファイバを収容して余長処理を行うことを特徴とする請求項１乃至５のいずれかに記載の光ファイバトレイ。
【請求項７】
請求項１乃至６のいずれかに記載の光ファイバトレイを用い、光ファイバ配線ガイドを光ファイバ巻き付け外周長が最大になるようにセットした状態で光ファイバを光ファイバ配線ガイドに巻き付け、光ファイバを巻き付けできないところで光ファイバ配線ガイドを外周長が小さくなる方向に動かしながら所定の長さの光ファイバを光ファイバ配線ガイドに巻き付けて収容することを特徴とする光ファイバトレイを用いた光ファイバ余長処理方法。
【発明の詳細な説明】
【技術分野】
【０００１】
本発明は、ＯＮＵ（光回線終端装置）や光アウトレット等の光ファイバを収容し、光ファイバの余長処理を行う光ファイバトレイ及びそのトレイを用いた光ファイバ余長処理方法に関するものである。
【背景技術】
【０００２】
従来、ＯＮＵや光アウトレット等の光ファイバの接続部及び光ファイバの余長を収納するために光ファイバトレイが用いられている（例えば、非特許文献１参照。）。
【０００３】
光ファイバトレイは光ファイバの許容曲げ半径を確保し、且つあらゆる長さの光ファイバを収納できる構造である。これまでの光ファイバトレイは、内周と外周の間に一定の幅をもたせた構造で、その空間で光ファイバの余長を調整し、どのような長さの光ファイバであっても許容曲げ半径を確保して光ファイバを収納できる。しかしこの方法では、最大に必要となる余長空間を予め用意する必要があり、必然的にトレイサイズが大きくなる。
【０００４】
また、これまでのトレイ構造では余長処理に熟練を要し、特に屋外のような風雨にさらされる箇所での作業は、莫大な時間がかかっている。
【非特許文献１】「光ファイバ施工技術」株式会社オプトロニクス社発行  平成１３年１２月２０日  ｐ．１４１
【発明の開示】
【発明が解決しようとする課題】
【０００５】
本発明は上記の事情に鑑みてなされたもので、光ファイバを巻き付けて余長処理を行う光ファイバ配線ガイドを可動式にすることにより、小型化と余長収納の作業性向上を達成でき、さらに簡単かつ確実に規定の曲率半径を確保した余長処理ができる光ファイバトレイ及びそのトレイを用いた光ファイバ余長処理方法を提供することを目的とする。
【課題を解決するための手段】
【０００６】
上記目的を達成するために本発明は、光ファイバを収容して余長処理を行う光ファイバトレイにおいて、光ファイバが巻き付けられる光ファイバ巻き付け部の形状を変化させることを特徴とするものである。
【０００７】
また、本発明の光ファイバトレイは、有底筒状の光ファイバトレイ本体と、前記光ファイバトレイ本体内に光ファイバが巻き付けられて収容されるように設けられ、複数の円弧状の突出部材が円形状に配設された光ファイバ配線ガイドと、前記光ファイバ配線ガイドの一部を直径方向に移動するように設けられた可動装置とを具備することを特徴とするものである。
【０００８】
また本発明は、前記光ファイバトレイにおいて、光ファイバ配線ガイドが、光ファイバ配線ガイドの可動範囲において収容する光ファイバの曲率半径が規定値より小さくならないように設けられることを特徴とするものである。
【０００９】
また本発明は、前記光ファイバトレイにおいて、光ファイバ配線ガイドが、光ファイバ配線ガイドに光ファイバが巻き付けられた状態で光ファイバ配線ガイドを移動させることにより、光ファイバ配線ガイドに巻き付けられた光ファイバの外周長を変化させることができるように設けられることを特徴とするものである。
【００１０】
また本発明は、前記光ファイバトレイにおいて、光ファイバ配線ガイドが、光ファイバ配線ガイドに巻き付けられて収容された光ファイバが脱落するのを防止する脱落防止つめが設けられることを特徴とするものである。
【００１１】
また本発明は、前記光ファイバトレイにおいて、ＯＮＵ（光回線終端装置）や光アウトレットの光ファイバを収容して余長処理を行うことを特徴とするものである。
【００１２】
また、本発明の光ファイバトレイを用いた光ファイバ余長処理方法は、前記光ファイバトレイを用い、光ファイバ配線ガイドを光ファイバ巻き付け外周長が最大になるようにセットした状態で光ファイバを光ファイバ配線ガイドに巻き付け、光ファイバを巻き付けできないところで光ファイバ配線ガイドを外周長が小さくなる方向に動かしながら所定の長さの光ファイバを光ファイバ配線ガイドに巻き付けて収容することを特徴とする。
【発明の効果】
【００１３】
本発明の光ファイバトレイ及びそのトレイを用いた光ファイバ余長処理方法によれば、光ファイバを巻き付けて余長処理を行う光ファイバ配線ガイドを可動式にすることにより、小型化と光ファイバの余長収納の作業性向上を達成でき、さらに簡単かつ確実に規定の曲率半径を確保した余長処理ができる。
【発明を実施するための最良の形態】
【００１４】
以下図面を参照して本発明の実施の形態例を詳細に説明する。
図１は本発明の実施形態例に係る光ファイバトレイの蓋のない状態を示す斜視図である。
すなわち、有底矩形筒状の光ファイバトレイ本体１１内には半円形状の突出部材よりなる光ファイバ配線ガイド１２、１３が円形状を構成するように対向して設けられる。前記一方の光ファイバ配線ガイド１２は光ファイバトレイ本体１１の底部に固定され、他方の光ファイバ配線ガイド１３は光ファイバトレイ本体１１の底部に設けられた細長い透孔よりなる２条の移動レール１４に沿って直径方向に移動自在にして設けられる。前記光ファイバ配線ガイド１２、１３の上縁の両端近傍にはそれぞれ脱落防止つめ１５が光ファイバ配線ガイド１２、１３に巻き付けられて収容された光ファイバが脱落するのを防止するように外方に突出して一体に設けられる。前記光ファイバ配線ガイド１３の下縁の中央部には脱落防止つめ１６が前記脱落防止つめ１５と同じ高さになるように折り曲げられて一体に設けられる。前記光ファイバトレイ本体１１の開口縁には複数の脱落防止つめ１７が前記光ファイバ配線ガイド１２、１３に対応して設けられる。
【００１５】
図２（ａ）〜（ｃ）は本発明の実施形態例に係る光ファイバ配線ガイドの可動装置を示し、（ａ）は前面図、（ｂ）は背面図、（ｃ）は断面図である。すなわち、光ファイバ配線ガイド１３に対応した光ファイバトレイ本体１１の底部には細長い透孔よりなる２条の移動レール１４が直径方向Ａに沿って設けられる。前記２条の移動レール１４中にはそれぞれ外れ防止ねじ１８が光ファイバトレイ本体１１の背面から移動自在に挿入され光ファイバ配線ガイド１３の下縁に螺入される。したがって、外れ防止ねじ１８をゆるめることにより、光ファイバ配線ガイド１３を直径方向Ａに自由に移動することができ、外れ防止ねじ１８を締め付けることにより、光ファイバ配線ガイド１３を所定の位置で固定することができる。１９は光ファイバトレイ本体１１を塞ぐ蓋で、光ファイバトレイ本体１１と蓋１９で光ファイバトレイを構成する。
【００１６】
図３（ａ）〜（ｃ）は本発明の実施形態例に係る光ファイバ余長処理手順を示し、（ａ）は光ファイバ巻き始め段階、（ｂ）は光ファイバ配線ガイド可動段階、（ｃ）は光ファイバ余長処理完了段階である。すなわち、図３（ａ）に示すように、光ファイバ配線ガイド１３を光ファイバ巻き付け外周長が最大になるようにセットした状態で光ファイバ２０を光ファイバ配線ガイド１２、１３の外周囲に巻き付ける。２１は光ファイバ２０に接続された光コネクタである。光ファイバトレイ本体１１にはアダプタ２２が設けられる。次に、図３（ｂ）に示すように、光ファイバ配線ガイド１３にこれ以上光ファイバを巻き付けできないところで、光ファイバ配線ガイド１３を外周長が小さくなる方向に移動する。次に、図３（ｃ）に示すように、必要な長さの光ファイバ２０を引き出して光ファイバ配線ガイド１２、１３の外周囲に巻き付けて余長処理をする。このような方法で行うことにより簡単且つ確実に光ファイバの余長を光ファイバトレイに収納することができる。
【００１７】
光ファイバトレイは主にＯＮＵや光アウトレット等の光ファイバを接続する箇所に設けられ、光ファイバを収容し、光ファイバの余長処理を行う。光ファイバトレイの光ファイバ巻き付け部の形状を変化させることにより簡単且つ確実に規定の曲率半径を確保した余長処理ができる。また、可動式光ファイバ配線ガイドはその可動範囲において収容する光ファイバの曲率半径が規定値より小さくならないようにする。さらに、可動式光ファイバ配線ガイドは、光ファイバを巻き付けた状態で光ファイバ配線ガイドを可動させることにより、光ファイバの巻き付け外周長を変化させることができる。また、可動式光ファイバ配線ガイドは、脱落防止つめを有し、光ファイバの巻き付け外周長を最大から最小に変化させた場合でも、弛んだ光ファイバが容易に光ファイバトレイから脱落しないように構成される。
【００１８】
以上のように、光ファイバトレイの光ファイバ配線ガイドを可動式にすることにより、余長処理作業の施工性向上と小型化を図ることができ、光ファイバの余長処理を簡単かつ確実に行うことができると共に、光ファイバトレイの小型化により、関連機器の小型化が可能となる。したがって、本発明の実施形態例に係る光ファイバトレイは、今後ＯＮＵや光アウトレット等に適用することにより、装置または部品のサイズを小型化し、光ファイバの余長処理作業を簡単且つ確実に行うことができ、工事時間の短縮やブロードバンド化の促進がはかれる。
【００１９】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。
【図面の簡単な説明】
【００２０】
【図１】本発明の実施形態例に係る光ファイバトレイの蓋のない状態を示す斜視図である。
【図２】（ａ）〜（ｃ）は本発明の実施形態例に係る光ファイバ配線ガイドの可動装置を示し、（ａ）は前面図、（ｂ）は背面図、（ｃ）は断面図である。
【図３】（ａ）〜（ｃ）は本発明の実施形態例に係る光ファイバ余長処理手順を示し、（ａ）は光ファイバ巻き始め段階、（ｂ）は光ファイバ配線ガイド可動段階、（ｃ）は光ファイバ余長処理完了段階である。
【符号の説明】
【００２１】
１１…光ファイバトレイ本体、１２，１３…光ファイバ配線ガイド、１４…移動用レール、１５，１６，１７…脱落防止つめ、１８…外れ防止ねじ、１９…蓋、２０…光ファイバ、２１…光コネクタ、２２…アダプタ。
【図１】
2006023451.tif 000003
【図２】
2006023451.tif 000004
【図３】
2006023451.tif 000005